(57)【要約】【目的】食品や建築や服飾等の分野での簡易的な色測定（用途に応じ、ＢＧＲ構成色の解析及び色濃淡の判別を含む場合がある。）を簡単に行うことができ、しかも、片手で持てるようなハンディタイプの本体内に制御部や表示部等を含めた全構成が組み込まれた携帯型の簡略化した低価格の測色計をを提供する。【構成】光源と受光部とを有する計測部と、該計測部を制御する制御部と、前記計測部によって計測された結果を表示する表示部と、測色操作を行う操作部とが、片手で持てる大きさ及び形状のハンディタイプの本体に組み込まれた携帯型の測色計であって、  前記計測部は測色計本体の一部に設けられた窓部内に配設されており、前記光源が白色ＬＥＤから成り、前記受光部の受光素子が三原色（Ｂ・Ｇ・Ｒ）の受光センサーから成ることを特徴とする測色計である。【選択図】        図１
2005257374.tif 000002
【特許請求の範囲】
【請求項１】
光源と受光部とを有する計測部と、該計測部を制御する制御部と、前記計測部によって計測された結果を表示する表示部と、測色操作を行う操作部とが、片手で持てる大きさ及び形状のハンディタイプの本体に組み込まれた携帯型の測色計であって、
前記計測部は測色計本体の一部に設けられた窓部内に配設されており、前記光源が白色ＬＥＤから成り、前記受光部の受光素子が三原色（Ｂ・Ｇ・Ｒ）の受光センサーから成ることを特徴とする測色計。
【請求項２】
前記窓部には、被計測物と計測部との接触を防止する防護フィルターが設けられていることを特徴とする請求項１に記載の測色計。
【請求項３】
前記防護フィルターが、無色透明の樹脂ないしはガラス製の如き板体又は網体から形成されていることを特徴とする請求項２に記載の測色計。
【発明の詳細な説明】
【技術分野】
【０００１】
本発明は測色計に関し、詳しくは簡易な構成の携帯型の測色計に関する。
【背景技術】
【０００２】
測色計、色差計、光沢計等の光学測定機器は、主として携帯型と卓上に置いて使用する定置型との二タイプがある。
【０００３】
簡略な色測定を行う場合には、定置型は比較的大型であるため携帯型が主として使用されているが、携帯型であっても測定ヘッド部分のみが小型の携帯型であり、制御部及び表示部等を構成する測定器本体は定置型と変わらない大きさの別体構成のものが多かった（例えば、特許文献１及び２参照）。
【０００４】
特に従来の光学測定機器は、種々の検査・試験・実験等に適用し得るような厳密且つ精緻な色測定に適したものであり、簡易的な色の違い程度を簡単に知りたい状況、例えば、調理や料理、壁紙や塗料、洋服生地や染色等のようにある程度の色差が正確に判別できればよいという状況に利用するには仕様・性能・価格等の点でオーバースペックであった。
【０００５】
【特許文献１】実開平５−８４４８号
【特許文献２】実開平４−２１９２９号
【発明の開示】
【発明が解決しようとする課題】
【０００６】
そこで本発明の課題は、食品や建築や服飾等の分野での簡易的な色測定（用途に応じ、ＢＧＲ構成色の解析及び色濃淡の判別を含む場合がある。）を簡単に行うことができ、しかも、片手で持てるようなハンディタイプの本体内に制御部や表示部等を含めた全構成が組み込まれた携帯型の簡略化した低価格の測色計を提供することにある。
【課題を解決するための手段】
【０００７】
上記課題を解決する本発明は下記構成を有する。
【０００８】
１．光源と受光部とを有する計測部と、該計測部を制御する制御部と、前記計測部によって計測された結果を表示する表示部と、測色操作を行う操作部とが、片手で持てる大きさ及び形状のハンディタイプの本体に組み込まれた携帯型の測色計であって、
前記計測部は測色計本体の一部に設けられた窓部内に配設されており、前記光源が白色ＬＥＤから成り、前記受光部の受光素子が三原色（Ｂ・Ｇ・Ｒ）の受光センサーから成ることを特徴とする測色計。
【０００９】
２．前記窓部には、被計測物と計測部との接触を防止する防護フィルターが設けられていることを特徴とする上記１に記載の測色計。
【００１０】
３．前記防護フィルターが、無色透明の樹脂ないしはガラス製の如き板体又は網体から形成されていることを特徴とする上記２に記載の測色計。
【発明の効果】
【００１１】
本発明によれば、食品や建築や服飾等の分野での簡易的な色測定を簡単に行うことができ、しかも、片手で持てるようなハンディタイプの本体内に制御部や表示部等を含めた全構成が組み込まれた携帯型の簡略化した低価格の測色計を提供することができる。
【発明を実施するための最良の形態】
【００１２】
次に、添付の図面に従って本発明を更に詳細に説明する。
図１は本発明に係る測色計の一実施例を示す一部切欠正面図、図２は計測部の底面図、図３は表示部の平面図である。
【００１３】
図１において、本発明に係る測色計は、片手で持てる大きさ及び形状のハンディタイプの本体１、光源２１と受光部２２とを有する計測部２、該計測部２を制御する制御部３、前記計測部２によって計測された結果を表示する表示部４と、測色操作を行う操作部５とから主として構成されている。
【００１４】
計測部２は本体１の一部、具体的には先端部分下面側に設けられた窓部１１内に配設されており、制御部３は本体１内部に収納されており、表示部４は本体１の上面側、即ち、計測を行う際に計測者が見易い位置に配設されており、操作部５は本体１のグリップ部１２を持った際に操作し易い位置である該グリップ部１２の上面に配設されている。即ち、計測部分のみが携帯可能な小型ではあるが制御部等は別体の定置型である従来の携帯型のものとは異なり、各構成部材の全てが本体１内に組み込まれた構成を有している。
【００１５】
前記計測部２の光源２１は白色ＬＥＤから成り、受光部２２の受光素子は三原色（Ｂ・Ｇ・Ｒ）の受光センサーから成る。白色ＬＥＤ、三原色受光センサーは公知のものを特別の制限なく利用でき、例えば、三原色受光センサーとしては、浜松ホトニクス社製ＲＧＢカラーセンサモジュール（チップ）、Ｓｉフォトダイオード等を利用できる。
【００１６】
制御部３としては、この種の光学測定機器に用いられる公知公用の半導体を挙げることができる。
【００１７】
表示部４は、計測部２によって計測された数値を表示可能であればよく、具体的には液晶画面や有機ＥＬ画面を採用することができる。表示される内容としては、Ｂ・Ｇ・Ｒ値の各平均や偏差等の数値や波形等が好ましい。例えば、浜松ホトニクス社製カラーセンサモジュールＣ９３０３やＣ９３１５を用いて、ＲＧＢ色情報を数値化し、バーグラフや百分率（図３参照）で表示することが好ましい。
【００１８】
操作部５には、計測操作用のスイッチの他に、電源ＯＮ・ＯＦＦスイッチや、オートゲインコントロール（明るさ調整）やホワイトバランス調整機能の操作手段も用意されていることが好ましい。
【００１９】
計測に際しては、窓部１１を被計測物の計測対象面に近接ないしは当接させ、次に操作部５を操作（例えば、計測開始スイッチＯＮ操作）することにより、白色ＬＥＤ（一定の安定した照度のもの）から成る光源２１からの出力光束が被計測物表面に照射集光し、反射し、該出力光束の反射光を、Ｂ・Ｇ・Ｒ受光センサーから成る受光部２２が受光し、該受光部の出力信号に基づき制御部３が分光帯域に対応した波長範囲の反射率等を演算し、該演算値に基づいた結果を表示部４に表示する。
【００２０】
計測時に被計測物と被計測物と計測部２との接触を防止するために、図２に示すように窓部１１に防護フィルター６を設けておくことが好ましい。
【００２１】
防護フィルター６としては、計測に光度的・色彩的に影響を与えない無色透明の樹脂ないしはガラス製の如き板体、又は網体から形成する。尚、図２に示す態様では、網体を用いている。防護フィルター６が網体である場合、被計測物の大きさより小さな網目に形成することは勿論である。
【００２２】
光源２１及び受光部２２から防護フィルター６までの距離は、計測時の測定可能焦点距離の少なくとも近接限界点以上、好ましくは測定可能焦点距離の最適距離近似点としておくことで、被計測物に防護フィルター６が接するようにした状態で計測すれば誤差の少ない計測値を得ることができる。
【００２３】
尚、本発明に係る測色計は、電源を電源コードを介して外部のコンセントから取る構成であってもよいし、或いは、交換式又は充電式バッテリーを本体１に内蔵する構成であってもよい。
【００２４】
尚また、本発明に係る測色計は、計測部２及び窓部１１、表示部４、操作部５、本体１並びにグリップ部１２の各構成部材の位置や形状など、上記の実施例に限定されず、簡易的な測色計が採り得る位置や形状であれば、他の態様であってもよい。
【００２５】
以上の構成を有する本発明に係る測色計の利用方法としては、例えば、布の染色時に所定の色具合まで染まっているかどうかの確認に利用することができる。予め、色見本等を計測しておき、該色見本の計測値を参考値として染め具合を計測しながら調整することで、所望の色に染色することが可能となる。
【００２６】
また、コーヒー豆の焙煎にも利用することができる。豆の種類（ブラジル、マンデリン、モカ等）やローストの種類（フレンチロースト、イタリアンロースト等）に応じて予め焙煎見本参照値を明示しておけば、焙煎時に豆を炒りながらその都度計測して焙煎見本参照値となるまで焙煎することで、未熟者であっても経験者の如き焙煎を行うことが可能となる。
【００２７】
更に、外壁塗装時に、所望の色具合に配合したペンキを計測することで、追加のペンキが必要になった際や日を置いてのペンキ配合時に、先の色具合と同じ配合のペンキを得ることが可能となる。
【００２８】
その他の利用例として、肌の色を計測する化粧品分野、内装工事（例えば、インテリアコーディネーターによるもの）等の色追跡、色による選別ないし判別、カラーマッチングの用途にも利用することができる。
【００２９】
以上の利用例は、従来の厳密且つ精緻な色測定に適した高価な光学測定機器では明らかにオーバースペックであり、特に作業現場においては本発明に係る測色計の如き簡易な計測手段を用いることで充分対応可能である。
【図面の簡単な説明】
【００３０】
【図１】本発明に係る測色計の一実施例を示す一部切欠正面図
【図２】計側部の底面図
【図３】表示部の平面図
【符号の説明】
【００３１】
１  本体
１１  窓部
１２  グリップ部
２  計測部
２１  光源（白色ＬＥＤ）
２２  受光部（Ｂ・Ｇ・Ｒ受光センサー）
３  制御部
４  表示部
５  操作部
６  防護フィルター
【図１】
2005257374.tif 000003
【図２】
2005257374.tif 000004
【図３】
2005257374.tif 000005